(57)【要約】  【課題】  情報を双方に伝え合い、確認できるようにするという新規な構成からなる双方向確認メモ帳を提供する。  【解決手段】  夫々には同一端縁所定巾部分を綴じ代となすと共に、第二メモシート１２および第三メモシート１３の綴じ代１ｂを区画する位置には夫々切り離し用のミシン目１２ａ，１３ａが設けられ、夫々の綴じ代１ｂ下方に連なるシート主要部１ａには、メモ発行者表示欄Ａ、担当者向けメモ欄Ｂ、担当者記載欄Ｃとして必要項目を予め印刷表示した上、第一メモシート１１の下に順次第二メモシート１２、第三メモシート１３を重ね合わせて一組みとしてなる単位メモシート１を形成し、それら単位メモシート１の多数組を上下に重ね、綴じ代１ｂにおいて適宜手段によって一体化した双方向確認メモ帳である。【選択図】    図２
2006305888.tif 000002
【特許請求の範囲】
【請求項１】
裏面に発色剤が塗布されたメモ発行者用の第一メモシート、表面に顕色剤、裏面に発色剤が夫々塗布されたメモ内容担当者向けの第二メモシート、および前記第一、二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示した上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとしたことを特徴とする双方向確認メモ帳。
【請求項２】
裏面に発色剤が塗布されたメモ発行者用の第一メモシート、表面に顕色剤、裏面に発色剤が夫々塗布されたメモ内容担当者向けの第二メモシート、および前記第一、二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示すると共に、少なくともメモ発行者向けの第三メモシートの担当者記載欄には担当者印枠を設けてなるものとした上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとしたことを特徴とする双方向確認メモ帳。
【請求項３】
裏面に発色剤が塗布されたメモ発行者用の第一メモシート、表面に顕色剤、裏面に発色剤が夫々塗布されたメモ内容担当者向けの第二メモシート、および前記第一、二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示すると共に、メモ発行者向けの第三メモシートの担当者記載欄には担当者印枠を、またその担当者印枠形成位置に相当する位置の第一メモシートには、第三メモシートがメモ発行者に返還された事実を確認された場合にコーナー切り取るための切取線または切取り用ミシン目を設けてなるものとした上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとしたことを特徴とする双方向確認メモ帳。
【請求項４】
第一、二メモシートを白地とする一方、第三メモシートを淡青色か淡緑色など心理的に落ち着くことができる地色のものとし、メモ発行者に伝達が首尾良く完了した思いを助長するようにした、請求項１ないし３何れか一記載の双方向確認メモ帳。
【請求項５】
第二メモシートを淡赤色か淡黄色など担当者の注意を喚起し易い地色のものとし、確実なメモ内容の伝達が実施されるようにした、請求項１ないし４何れか一記載の双方向確認メモ帳。
【請求項６】
第一ないし第三メモシートの夫々を、互いに異なる地色のものとし、連絡の途中で混同、混乱せず、同一地色のメモシート同士を正確にファイリングし易くすると共に、保管、整理に際して異なる地色のメモシートの混入を発見容易にした、請求項１ないし３何れか一項記載の双方向確認メモ帳。
【請求項７】
メモ発行者表示欄が、メモ発行者名記入欄と担当者名記入欄とからなり、両空欄間にメモ伝達の方向性を示す太矢印を表示したものとしてなる、請求項１ないし６何れか一項記載の双方向確認メモ帳。
【請求項８】
第一ないし第三メモシートの綴じ代付近か、その外のシート外周縁付近の適所である同一箇所の夫々に、所定間隔をもつ２個のパンチ孔を、保管整理用のものとして穿孔してなる、請求項１ないし７何れか一項記載の双方向確認メモ帳。
【発明の詳細な説明】
【技術分野】
【０００１】
この発明は、主に人と人との間で様々な事項を報告、連絡または相談し合い、それを相互に間違いなく確認し合うために使用する道具として欠かせないメモ帳に関連するあらゆる分野をその技術分野とするものであって、印刷、文具の技術分野を中心にして当該メモ帳を製本、販売する分野から、そのメモ帳に必要な資材、部品を提供する分野、それら資材、部品の提供、加工に必要な機械、工具類を提供する分野、またそれら資材類や機械装置、部品類に必要となる素材、例えば木材、合板、プラスチック、各種金属材料を提供する分野、それらに組み込まれる電子分品やそれらを集積した制御機器の分野、各種計測器の分野、加工機械を動かす動力機械の分野、そのエネルギーとなる電力やエネルギー源である電気、オイルの分野といった一般的に産業機械として総称される分野に包含される分野、更には、それら工作機械を試験、展示、販売、輸出入、ならびに使用する分野、将又、それら工作機械の作動に伴って発生する切削屑を回収、運搬する回収、輸送の分野、在庫したり使い古したメモ帳を効率的に再生利用するリサイクル分野、あるいは現時点で想定できない新たな分野までと、関係しない技術分野はない程である。                              
【背景技術】
【０００２】
（着眼点）
インターネットによる高度な情報伝達手段で大量且つ高速な情報伝達がなし得る時代が実現されることとなって、人々は自らが進んでアクセスしさえすれば様々な情報を容易く入手し得るようになってはきたものの、それら幾ら整備された情報伝達手段によっても、情報が相手に確実に伝わった（相手の下に届いた状態ではなく、その状態から相手が情報を知覚した）かどうかということや、その情報を得た相手が必ず結果を報告して本人が確認することについては、目に見えない電波という媒体を通して伝達を行うだけに、どうしても不確実さが伴ってしまい、安心できないのが普通である。
【０００３】
例えば、今では極普通に使いこなしているメール送信による情報伝達手段を例にすれば、多くの人はメールを送信したことをわざわざ電話で知らせたり、あるいはファクシミリ通信で相手の目に届きそうな場所宛てに、目に見える形のペーパー上に文字を載せた情報伝達を改めて実施するなどして、メール送信内容が確実に相手に伝わる配慮をしているのが実情であり、大量、高速情報伝達手段といえども、相手が機械、装置を操作してこそ初めてその威力を発揮できるのであって、確実な情報伝達、特に身近な組織やグループ内における情報伝達に、従来からのメモ帳に認めて行う方法が確実であって、今後とも暫くはそれに勝る手段はないものと考えられる。
【０００４】
（従来の技術）
そうした事実を反映して、文具売り場や日用品売り場などには、単にメモ紙を剥離自在に綴じただけの所謂本来のメモ帳から、色やデザイン、枠取りなど各種工夫を凝らしたメモ帳までが従来から変わることなく陳列、販売され、日常の家庭や事務所における必需品となってきていて我々の生活には欠くことができないことから、それらメモ帳の機能をより良いものにしょうとする提案にも事欠かず、例えば特許第２５９２３８０号公報に開示されている「筆記具立て付きメモ帳」発明のように、販売されるときの外観は殆ど従前からのメモ帳と変わらないのに、工夫を施した厚紙表紙を、予め工夫されたとおりに組み立てるとメモ帳の上端に立体的でしっかりした筆記具立てが実現し得て、それまでにも提案の繰り替えされてきたメモする際の筆記具を常にメモ帳に用意しておけるようにした類いのものの中にあっても傑出したもので、確り製品化されているものから、特許第２８０２７３６号公報にみられる「メモ帳」発明の如く綴じ方に工夫があり、開くと開いた箇所を中心にメモ紙が扇状の立体的に開くようにし、隣接するメモ紙を見通し易くすると共に所定のメモ紙を取り出し易くしたものなど主にメモ帳の外観構造の改良に関するもの、あるいは特開２００１−２４６８７９号公報「メモ帳」発明のように、メモ帳を構成するメモ紙に、メモ書き欄以外に宣伝広告機能を付与しようとの試みを施したものや、「メモ帳」とはいっていないが、所謂書き込み欄に工夫を施すようにした実開平４−４５０７８号公報に開示のある「写真撮影データー記録用紙」考案等に見受けらるようなメモ紙面の工夫に繋がるものなどが既に開発されている。
【０００５】
しかし、これら従前から提案のある「メモ帳」類は、基本的にメモをする当の本人の使い勝手を良くすることに主眼を置くものであり、しかも、その書き留められたメモの内容についても、メモした人自身がメモした内容やそのときの状況などを忘れないで確認し得るようにした点において何か利点あるいは利便性が得られるようにする構造だけに限られてきていたのが実情といえる。                                                                      
【特許文献１】（１）特許第２５９２３８０号公報  （２）特許第２８０２７３６号公報  （３）特開２００１−２４６８７９号公報  （４）実開平４−４５０７８号公報
【発明の開示】
【発明が解決しようとする課題】
【０００６】
（問題意識）
しかし、メモの機能には、メモした当の本人がメモの内容を忘れないで止め置く機能の他に、例えば、社内等ある組織体の中で担当者が不在のとき、電話でその不在担当者に何かの手配を依頼をする、あるいは折り返しの電話を願うという内容の伝言依頼を受けるという頻繁に起き得る場面などに遭遇したとき、そのときにメモした内容を不在担当者に伝える必要があることは勿論のこと、その内容を受け取った不在担当者が、伝えられた内容を間違いなく処理した上、その結果如何を、伝えてくれた人に確実に答えてその人の労に報いるように配慮するという必要性、言うならば、情報を双方に伝え合い、その事後処理としての確認までできるようにするという情報伝達機能の必要性もあり、この後者の機能を確実に実現できるようにしたメモ手段については、未だ提案されていないというのが実情である。
【０００７】
（発明の目的）
そこで、この発明は、こうした従前顧みられることのなかったメモ機能の必要性に鑑み、それら課題の一切を解決できるようにしたメモ帳を実現させることはできないものかとの判断から、逸速くその開発、研究に着手し、長期に渡る試行錯誤と幾多の試作、実験とを繰り返してきた結果、今回、遂に新規な構造からなるメモ帳を実現化することに成功したものであり、以下では、図面に示すこの発明を代表する実施例と共に、その構成を詳述していくこととする。                                                                                    
【課題を解決するための手段】
【０００８】
（発明の構成）
上記目的を達成可能とするこの発明の双方向確認メモ帳は、基本的に次のような構成から成り立っている。
即ち、裏面に発色剤が塗布されたメモ発行者用の第一メモシート、表面に顕色剤、裏面に発色剤が夫々塗布されたメモ内容担当者向けの第二メモシート、および前記第一、二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示した上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとした構成を要旨とする双方向確認メモ帳である。
【０００９】
この基本的な構成の双方向確認メモ帳には、裏面に発色剤が塗布されたメモ発行者用の第一メモシート、表面に顕色剤、裏面に発色剤が夫々塗布されたメモ内容担当者向けの第二メモシート、および前記第一、二メモシート、特に第二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示すると共に、少なくともメモ発行者向けの第三メモシートの担当者記載欄には担当者印枠を設けてなるものとした上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとした双方向確認メモ帳を包含する。
【００１０】
また、同様に、裏面に発色剤が塗布されたメモ発行者用の第一メモシート、表面に顕色剤、裏面に発色剤が夫々塗布されたメモ内容担当者向けの第二メモシート、および前記第一、二メモシート、特に第二メモシートとは色違いとされ、表面に顕色剤を塗布したメモ発行者向けの第三メモシートとし、夫々には同一端縁所定巾部分を綴じ代となすと共に、第二メモシートおよび第三メモシートの当該綴じ代を区画する位置には夫々切り離し用のミシン目が設けられてなるものとする一方、夫々の綴じ代下方に連なるシート主要部には、その上方側所定範囲をメモ発行者表示欄、その下方に連なる所定範囲を担当者向けメモ欄、そしてその下の残部を担当者記載欄として必要項目を予め印刷表示すると共に、メモ発行者向けの第三メモシートの担当者記載欄には担当者印枠を、またその担当者印枠形成位置に相当する位置の第一メモシートには、第三メモシートがメモ発行者に返還された事実を確認された場合にコーナー切り取るための切取線または切取り用ミシン目を設けてなるものとした上、第一メモシートの下に順次第二メモシート、第三メモシートを重ね合わせて一組みとしてなる単位メモシートを形成し、それら単位メモシートの多数組を上下に重ね、綴じ代において適宜手段によって一体化してなるものとした構成からなる双方向確認メモ帳も包含されている。                                                                          
【発明の効果】
【００１１】
以上のとおりの構成からなるこの発明の双方向確認メモ帳は、第一メモシートの下に順次第二メモシート、第三メモシートを重ね合わせて一組みとしてなる単位メモシートの多数組を上下に重ね、綴じ合わせて形成され、第一メモシート上に書き留められたメモ内容は、そのまま同時に第二メモシート、第三メモシートに転写されることから、伝言依頼を受けた人（仲介人）は、メモ書きされたそれら第二メモシート、第三メモシートをミシン目で切り離した上、二枚とも伝言依頼先である担当者に渡すことによって依頼人への責務を果たすことができるようにし、担当者は、伝言内容を処理することによって依頼人と担当者との信頼関係を確立するという目的を達成するだけではなく、措置後には伝言依頼を受けて伝えてくれた人（仲介人）に対してその結果を報告できるよう、特に第二メモシートとは色違いとし、望ましくは淡青色か淡緑色など心理的に落ち着くことができる地色のものとし、仲介人に伝達が首尾良く完了した思いを助長するよう配慮した第三メモシートに構成すると共に、第一メモシートのコーナー切り取りための切取線または切取り用ミシン目を設けてなるものでは、更に駄目押し的に伝言依頼を受けた役割の外、その内容の処理具合まで目視して確認ができるようにした新規な構成から成り立っている。
【００１２】
したがって、この発明の双方向確認メモ帳によれば、伝言依頼を受けた当の本人（仲介人）が自らの記憶に抜かりがないよう手許に残る第一メモシートによってその手配がなされるようにしておくという、これまでの多くのメモ帳が果たしてきたとおりの役目は当然に全うするのは勿論のこと、伝言依頼のあった先、即ち伝言内容を何等かの形で実施しなければならない担当者にその内容を遺漏なく伝えるための記録として第二メモシート、特に淡赤色か淡黄色など担当者の注意を喚起し易い地色のものとし、確実なメモ内容の伝達が実施されるようにした第二メモシートによって正しくその役目を達成することができるものになるという効果の達成が可能となる。
【００１３】
そして、特筆すべきは、その伝言内容を受け取った担当者は、伝えられた内容を処理した後には、伝言依頼を受けて伝えてくれた人（仲介人）に第三メモシート、それも第二メモシートとは色違いの地色のものとした第三メモシートでその措置如何を報告することによって仲介の労に報いられるようにし、それが、特に淡青色か淡緑色など心理的に落ち着くことができる地色のものとし、仲介人に伝達が首尾良く完了した思いを助長するよう配慮した第三メモシートとすることによってその思いを一層深くしたものになし得るものとすることができ、更には、第一メモシートのコーナー切り取るための切取線または切取り用ミシン目を設けてなるものでは、第三メモシートが返ってきたことが、第三メモシートを保管せずとも後々において確認できるようになっていて、従前のものには全く期待することができなかった顕著な効果を発揮し得るものとなっており、正に情報を双方に伝え合い、その事後処理としての確認までをなし得るというメモ帳として機能を普く具備したものとなっている。
【００１４】
また、第一ないし第三メモシートの夫々を、夫々異なる地色に設定されたものとすることにより、依頼人と担当者との間の連絡の各段階でメモシートの混同や混乱等による不手際の発生を、より確実に防止することができ、しかもメモ発行者表示欄のメモ発行者名記入欄と、担当者名記入欄との両空欄間に、メモ伝達の方向性を示す太矢印を表示したものとすることによって、第一メモシートおよび第二メモシートでは依頼者から担当者へ向けたものであることが、また、第三メモシートでは、担当者から依頼者へ向けて送り届けられなければならないものであるということを一目で識別できるものとなり、一段と確実な連絡体制を実現化することができる。
【００１５】
さらに、適所に穿孔された２個のパンチ孔を利用して、各メモシートの種類毎に、各個人が簡便にファイリング可能なものとしたことにより、過去に処理済みの連絡内容と、現在進行中の連絡内容とを一括して各人が確実に整理、保管することができる上、連絡記録を紛失せずに時系列的に残すことができるので、依頼者や担当者の緊急時や予期しない長期不在等によって発生することが懸念される連絡ミスや対応の遅延等といった諸問題を、サポートする第三者が、煩雑な確認作業をせずとも連絡情況を簡便に理解し、迅速且つ正確に対処できるようにすることができ、その上各メモシートの種別毎による色の統一により、使用済み保管中の混入の防止と混入時の早期発見とを図ることができるので、緊急時にも整然とした対応が可能となり、ＩＳＯ（International  Organization  for  Standardization）の認証取得およびその維持・改善にも大いに役立つものとなる。                              
【発明を実施するための最良の形態】
【００１６】
上記したとおりの構成からなるこの発明の双方向確認メモ帳について、その実施に際しての最良もしくは望ましい形態について説明を加えることにする。
先ず、単位メモシートを構成している第一メモシート、第二メモシート、第三メモシートは、所謂従前から実施されてきている各社各様の三枚複写ノーカーボン紙と同様に、上用紙（原紙の裏面には油に溶かし込んだ無色の染料＝ロイコ染料からなる発色剤を含むマイクロカプセルを塗布し、同表面は一般上質紙のように薬剤塗布無し。第一メモシートに相当）、中用紙（原紙表面に、筆圧等の押圧力を受けて破裂したマイクロカプセルからの発色剤と化学反応を起して発色するようにした顕色剤、同裏面には上記上用紙同様のマイクロカプセルを塗布。第二メモシートに相当）および下用紙（原紙表面に、上記中用紙同様の顕色剤を塗布するだけで裏面は薬剤塗布無し。第三メモシートに相当）を採用することができる外、今後新たに開発、実用化されてくる同種のものの採用も可能であり、それら原紙としては特に紙質を問わず、発色が早く、その濃度が高くなるものであり、発色の色相が鮮明でコントラストが高いもの、取扱い中に不必要な汚れが出てしまわないもの等といったノーカーボン紙としての条件が最低限満たされるものであれば、メモ帳である以上は再生紙など安価なもので十分である。
【００１７】
そして、それら第一メモシート、第二メモシート、第三メモシートを一組とする単位メモシートは、メモ伝達、確認機能からも印刷経済性からも基本的に同一項目欄を設けてなるものとし、メモ帳として汎用されているＡ６判（１０５×１４８ｍｍ）サイズに、上端側約１０ｍｍの綴じ代を加えた１０５×１５８ｍｍ判として、その綴じ代を除いたシート主要部の上方側所定範囲を、メモした当の本人（仲介人）が何時、誰から誰への伝言依頼があったものかというような主として書誌的事項を表示するのに都合の良い項目にまとめた「メモ発行者表示欄」、その下方に連なる所定範囲を、伝言依頼を受けた内容を端的に記録することができるやや大きいスペースとして割り当てた「担当者向けメモ欄」、その下の残部を、伝言先である担当者が使用して対処日時や対処方等を表示するようにした「担当者記載欄」として必要項目を予め印刷表示したものとするもので、後述する実施例に示すものに代表されるような項目欄とする外、目的や用途、使用対象者等々によって必要となる項目を適宜採用することができる。
【００１８】
また、第一ないし第三メモシートの綴じ代付近か、その外のシート外周縁付近の適所である同一箇所の夫々に、所定間隔をもつ２個のパンチ孔を、保管整理用のものとして穿孔してなるものとすることが可能であり、二穴パンチ孔間の距離は、一般に広く市販されているファイルに装着可能な寸法に設定したものとするのが望ましいものである。さらに、メモ発行者表示欄を、メモ発行者名記入欄と担当者名記入欄とからなるものとし、上下、左右あるいは斜めに配置された両者名の記入用空欄間にメモ伝達の方向性を示す太矢印を表示し、各メモシートにおける伝達先や保管者の間違いを、より確実に防止できるものとすることが可能であり、例えば、第一および第二メモシートには、「様へ」や「さんへ」の文字を、また第三メモシートには「より」等のメモの伝達方向を示す文字を、当該太矢印に併記、もしくは太矢印中に一体化、表示したものとすることができる。
【００１９】
こうして形成されるようにした単位メモシートは、第二メモシート、第三メモシートの綴じ代とシート主要部との境界箇所全幅に渡って切り離し用にミシン目を入れたものとし、なお且つ、望ましくは第一メモシートの下端コーナー部に三角その他適宜形状に切取りができるようなミシン目も施してなるものとした上、第一メモシートの下に順次第二メモシート、第三メモシートを重ね合わせて一組みとした単位メモシートを、適宜組数（メモ帳として取り扱い易い厚さを考慮すれば、シート厚にもよるが５０組１５０シートが一つの目安となる。）を上下に重ねた上、題字、例えば「何々メモ帳」や使用者名記入欄、使用説明書き、提供元その他宣伝広告文などを表示してなる比較的良質の上質紙による表紙を最上位に置き、最下位にはやや厚めの台紙を添えたものとして、全体の綴じ代部分をステイプラーの玉金具等適宜金具その他手段によって綴じ合わせて形成する。
【００２０】
さらに、単位メモシートは、第一ないし第三メモシートの夫々を、互いに異なる地色のものとし、連絡途中の混同や混乱をより確実に防止するものとすることが可能であり、各メモシートを明確に識別できる程度に異なる色調を、夫々に選択すべきであり、例えば第一メモシートをグリーンやクリーム、第二メモシートを白、第三メモシートをブルーの地色に夫々設定することが可能であり、グリーンやブルー、ピンク等の原色系の地色は、比較的に視覚的刺激の少ない淡色系に設定したものとするのが望ましいものである。
以下、図面に添付したこの発明を代表する実施例について詳述し、この発明の双方向確認メモ帳の構成がより明確なものとなるようにする。                                                      
【実施例１】
【００２１】
この実施例で取り上げた双方向確認メモ帳は、その全体斜視図として示した図１、双方向確認メモ帳の単位メモシートの各シートを一部重なり状のものとして示す正面図２、およびその構成具合を示すための態様を表す全体斜視図の図３からも明確に把握できるとおり、表紙２と台紙３との間に５０組の単位メモシート１を整然と重ねて綴じ代１ｂをステイプラー留め４，４した上、該ステイプラー留め４，４した箇所を含む綴じ代全体を背表紙５で包むようにしたこの発明を代表する事例によるものである。
【００２２】
Ａ６判サイズの上端側に約１０ｍｍの綴じ代を加えてなる１０５×１５８ｍｍ判に裁断した単位メモシート１を構成している白色地の第一メモシート１１と第二メモシート１２、そして前記第一メモシート１１と第二メモシート１２のものとは違えて淡青色地のものとなし、心理的に落ち着くことができるよう配慮すると共に、第二メモシート１２と第三メモシート１３とを一緒に手渡された伝言先となる人（伝言内容に従った何かの処理をしなければならない担当者）がそれら二種類のものを区別できるようにした地色の第三メモシート１３には、夫々基本的に同一の項目欄が予め印刷されるようにするもので、その項目欄として、上方側約１／３の範囲をメモ帳のための書誌的事項表示欄Ａ、それに連なる下方部分の中、約２／３程（全体の凡そ１／２程度）の範囲が伝言内容記入欄Ｂ、残りを処理内容表示欄Ｃとしてある。
【００２３】
書誌的事項表示欄Ａとしては、伝言先となる者の氏名と伝言を受けてメモ書きをした当の本人の氏名、伝言依頼を受けた日時、伝言依頼をしてきたものの氏名や所属組織名を書き込めるようにするための表題を予め印刷してあり、伝言内容記入欄Ｂには、処置すべき内容の種類（電話・訪問・手配）とその期限、処置すべき内容の説明ができる罫線、そして処理内容表示欄Ｃには、伝言内容記入欄Ｂの処置すべき内容の種類に対応させ、処置済みとなった種類（電話済み・訪問済み・手配済み）とその日時の表示、担当者の印またはサインができるようにした位置の表示およびその表題が夫々予め印刷してある。
【００２４】
このような印刷表示の成された単位メモシート１を構成する第一メモシート１１と第二メモシート１２、および第三メモシート１３の中、第二メモシート１２と第三メモシート１３は、当該メモ帳から切り離されて担当者へと引き渡されるようにしなければならないことから、綴じ代１ｂとシート主要部１ａとの境界位置に切り離しのためのミシン目１２ａ、１３ａが夫々刻設され、また第一メモシート１１には、右下コーナー部分を切り落とせるような斜のミシン目１１ａを刻設したものとし、担当者が伝言内容を処置したとしてその結果を淡青色地の第三メモシート１３の処理内容表示欄Ｃ所定箇所に書き込んで伝言仲介してくれた者、即ち最初に第二メモシート１２と第三メモシート１３とを手渡してくれた者（仲介人）に返したときに、返してもらった当の本人（仲介人）は、伝言した内容が間違いなく処置されたことを淡青色地の第三メモシート１３で確認して安堵すると共に、その第三メモシート１３を保管する代わりに、自らの手許に残るメモ帳の該当する第一メモシート１１のミシン目１１ａから先の三角部分をちぎり取ってしまうことができるようにしてある。
【００２５】
以上のように形成された第一メモシート１１と第二メモシート１２、および第三メモシート１３を一組とし、第一メモシート１１の下に順次第二メモシート１２、そして第三メモシート１３を重ねてなる単位メモシート１を５０組だけ用意した上、表紙２と台紙３との間に整然と挟み込み、積層状とした上、綴じ代１ｂ部分二箇所をステイプラー留め４，４して５０組の単位メモシート１，１，……を確りと一体化した後、綴じ代１ｂ全体を覆い尽くせる大きさの背表紙５によってそれらステイプラー留め４，４した部分を含む上端が隠蔽、化粧仕上げされ、この発明の双方向確認メモ帳を実現するものである。
【００２６】
なお、単位メモシート１を構成する第一メモシート１１と第二メモシート１２、および第三メモシート１３は、適宜筆記具を使って第一メモシート１１面に文字や記号等を書き入れることにより、その筆圧を受けて第二メモシート１２および第三メモシート１３各面にも同じ文字や記号等が写し出されるようにするものであれば特に制約はなく、その他の目的では汎用されてきている富士写真フィルムや王子製紙、日本製紙、三菱製紙、大王製紙各社のノーカーボン紙の中から三枚複写用のものとして提供されてきているものを適宜選択、採用すれば足りる。                                                                              
【実施例２】
【００２７】
図４の第一メモシートの正面図、図５の第二メモシートの正面図、および図６の第三メモシートの正面図に示す事例は、前記実施例１の一部に改良を加えた、この発明が包含する他の実施例の双方向確認メモ帳であって、その主な変更点は以下のとおりである。
即ち、双方向確認メモ帳単位メモシート１の各メモシートを、第一メモシート１１が淡いグリーン、第二メモシート１２が白、第三メモシート１３が淡いブルーの地色とするよう設定し、各メモシート１１、１２、１３の綴じ代１ｂとシート主要部１ａとの境界位置に切り離しのためのミシン目１１ａ、１２ａ、１３ａが夫々刻設され、該ミシン目１１ａ、１２ａ、１３ａの直下付近に相当する左右側夫々には、一般事務用品として広く市販されている二穴型ファイルに綴じ込み可能とする、所定左右間隔と孔直径とに寸法設定されたファイリング用の二穴パンチング孔１１ｂ、１１ｂ、１２ｂ、１２ｂ、１３ｂ、１３ｂを穿孔したものである。
【００２８】
その下側に設定されたメモ発行者表示欄Ａには、左側に担当者名記入欄Ａ２を、右側にメモ発行者名記入欄Ａ１を表示し、それら両空欄Ａ１、Ａ２間に、メモシートの伝達方向性を示す太矢印Ａ３を表示したものとなっており、第一メモシート１１と第二メモシートとには、メモ発行者名記入欄Ａ１から、担当者名記入欄Ａ２に向かう太矢印Ａ３を表示し、同太矢印Ａ３中には、「さんへ」の連絡先方向性を示す文字を表示したものとし、第三メモシートには、担当者名記入欄Ａ２からメモ発行者名記入欄Ａ１に向かう太矢印Ａ３と、同太矢印Ａ３中に「より」の連絡先方向性を表す文字を表示するようにし、事後の確認がさらに適格に行えるようにしたものである。
【００２９】
（実施例の作用）
この発明の上記実施例１に取り上げた双方向確認メモ帳は、先ず、誰かある人（担当者）が不在中に相手先（依頼人）から電話等で伝言を依頼されたときに、その伝言依頼を受けた人（仲介人）が伝言依頼内容を忘れてしまわないようにすることと、伝言依頼内容が正しく担当者に伝えられるようにする目的を兼ね、新しい部分の単位メモシート１、つまり第一メモシート１１と第二メモシート１２、および第三メモシート１３を一組としてその下に下敷きを敷いた状態にして、それら伝言依頼内容を、予め印刷された表題項目に従い、書誌的事項表示欄Ａの氏名の表題項目に繋げて仲介人名、日時の表題に合わせてその日の日時を夫々書き込と同時に、伝言依頼をしてきたものの氏名と所属組織名の表題項目には依頼人の情報を書き込み、続いて伝言内容記入欄Ｂに、処置すべき内容の種類（電話・訪問・手配）とその期限、処置すべき内容の説明について要領良くメモ書きしたところで、第一メモシート１１を残し（ミシン目を入れてないので無理に破るようにしないと普通には切り離せない。）、第二メモシート１２と第三メモシート１３とを夫々のミシン目に沿って切り離し、それら二枚とも担当者に手渡しするか、担当者の席に判るようにして置いておく。
【００３０】
担当者は、受け取ったメモシートから依頼人の情報を把握して依頼内容どおりのことを済ませたところで、受け取った二枚の中の淡青色地の第三メモシート１３に印刷されている処理内容表示欄Ｃの、既に仲介人によって書き込まれた伝言内容記入欄Ｂの処置すべき内容の種類に対応させて用意してある、処置済みとなった種類（電話済み・訪問済み・手配済み）の表題該当項目にチェックを入れると共に、その日時と、担当者印またはサインした上、当該第三メモシート１３だけを仲介人に届け、事後処理内容が伝わるようにして仲介の労に感謝するようにし、第二メモシート１２だけを担当者の手許に残して後日のために管理するか、必要がなければ廃棄してしまうこととする。
【００３１】
一方、仲介人の方は、色付きで他の書類とは区別し易くしてあり、戻ってきたことが直ぐさま視認できる第三メモシート１３によって仲介事項の顛末を確認して依頼人と担当者との間を間違いなく仲介し終えたことに安堵し、その気分が淡青色のシートの色で更に助長されて満足した気分に浸れると共に、担当者が最後まで、即ち、伝言依頼内容を実行しただけではなく、その顛末までを報告してくれたことに深い感謝の意を表した上、後日の整理のため、返された当該第三メモシート１３自体を別綴じにして保管、管理してもいいが、別綴じする煩わしさを避け、当該第三メモシート１３と一組となっていた対応する第一メモシート１１の右下に予め用意済みのミシン目１１ａから下の三角コーナー部分を切り取り、戻ってきた第三メモシート１３が無くても、メモ帳に残る第一メモシート１１だけで後日に仲介結果が確認できるようになっている。
【００３２】
この発明の上記実施例２に開示した一部に改良を加えてなる双方向確認メモ帳を使用する場合は、メモの発行者（依頼人）が、図４ないし図６に示した、三枚綴りの単位メモシート１に必要事項を記入、第一および第二メモシートに捺印した後に、第一メモシート１１をミシン目１１ａに沿って切り離し、二穴パンチング孔１１ｂ、１１ｂを利用して整理、保管することが可能となり、第一メモシート１１から分離された後も一体を保っている第二および第三メモシート１２、１３を、当該第二メモシートのメモ発行者表示欄Ａのメモ発行者名記入欄Ａ１から、担当者名記入欄Ａ２に向かう太矢印Ａ３、ならびに同太矢印Ａ３中に表示された「さんへ」の文字によって明示された連絡先方向性を確認して該当する担当者に渡すことになる。
【００３３】
すると、これを受けた担当者は、連絡事項に応じて作業を進め、その結果を担当者記載欄Ｃに記入した後に第二メモシート１２を、ミシン目１２ａに沿って切り離し、二穴型ファイルに整理して綴じ込み保管すると共に、最後に残った第三メモシート１３に捺印し、メモ発行者表示欄Ａの担当者名記入欄Ａ２からメモ発行者名記入欄Ａ１に向かう太矢印Ａ３と、同太矢印Ａ３中に表示された「より」の文字が示す連絡先方向性に従って間違いなく該当する依頼人（メモの発行者）の元に届けることが可能となり、第三メモシート１３を受け取ったメモ発行者は、用件を処理してくれた担当者に対して感謝の言葉を伝えた後、以前にファイリング保管した第一メモシートの右下角のミシン目１１ａに沿って三角コーナー部分を切り取り、謝意を忘れないコミュニケーションと互いの信頼感とを維持、強化可能なものとし、さらに第一メモシート１１と共に第三メモシート１３を保管するか、あるいは第一メモシート１１とは別のファイルに第三メモシート１３を整理、保管することにより、事後における連絡内容の確認が簡便かつ適格に行われるようにしたものとする。
【００３４】
（実施例の効果）
以上のように形成されたこの実施例１に取り上げた双方向確認メモ帳によれば、前述の発明の効果のとおり、依頼人から受けた伝言依頼内容は、仲介人を介して確実に担当者に伝えられた上、担当者がそれら伝言依頼内容を忠実に実行することによって依頼人の願いは叶えられることになり、仲介人および担当者、加えて彼等が所属する組織体に対する依頼人からの信頼は確実なものになると共に、担当者にとっても、伝言依頼内容を正確に知って任務の遂行に手抜かりが無いものとして自らの評価を上げるだけではなく、仲介人の労に確実に報いることができるという利点が得られる上、何よりも、依頼人と担当者との間にあって、伝言依頼内容を忠実且つ確実に橋渡しをした後に、その顛末までを容易且つ確実に確認して仲介人としての役目を果たし、惹いては属する組織体の運営を円滑にするという大きな効果が得られることになる。
【００３５】
実施例２に開示した双方向確認メモ帳によれば、単位メモシート１の各メモシート１１、１２、１３の各、綴じ代１ｂとシート主要部１ａとの境界位置に切り離しのためのミシン目１１ａ、１２ａ、１３ａを刻設したことによって、夫々を簡便に切り離し可能とした上、第一メモシート１１を淡いグリーン、第二メモシート１２を白、第三メモシート１３を淡いブルーの地色としたことにより、一目で明確に識別可能なものとして相互に混同、混乱することがなくなり、連絡ミスを大幅に削減することができ、しかも第一および第二メモシート１１、１２のメモ発行者表示欄Ａに形成した、担当者名記入欄Ａ２、メモ発行者名記入欄Ａ１、それら両空欄Ａ１、Ａ２間に表示されたメモシートの伝達方向性を示す太矢印Ａ３、ならびに同太矢印Ａ３中に表示された「さんへ」の文字によってメモシート１１、１２の発行元と連絡宛先とを明確化すると共に、第三メモシート１３メモ発行者表示欄Ａの担当者名記入欄Ａ２からメモ発行者名記入欄Ａ１に向かう太矢印Ａ３と、同太矢印Ａ３中に表示した「より」の文字とによって連絡伝達の方向性を一目で判断できるようにすることにより、各メモシート１１、１２、１３を夫々より確実に取り扱い、連絡の途中で紛失してしまったり、あるいは他の書類に混入してしまうようなミスを、さらに確実に防止できるものとすることができる。
【００３６】
また、夫々のメモシート１１、１２、１３のミシン目１１ａ、１２ａ、１３ａの直下付近に相当する左右側夫々に二穴パンチング孔１１ｂ、１１ｂ、１２ｂ、１２ｂ、１３ｂ、１３ｂを穿孔したことにより、連絡に携わったメモ発行者と担当者との夫々が、手元に残ったメモシート１１、１２、１３を、一般事務用品として広く市販されている二穴型ファイルに容易に綴じ込んで整理、保管することができるようになり、ISO（International  Organization  for  Standardization）の認証取得の基準にも的確に対応し、正確な業務内容の維持・改善にも繋げることができるという優れた特徴を発揮するものになる。
【００３７】
（結  び）
叙述の如く、この発明の双方向確認メモ帳は、その新規な構成によって所期の目的を普く実現可能とするものであり、しかも、その目的達成のために欠かせない構成も比較的簡潔なものとなっていて製造容易とするもので、従来品と同等程度、あるいはそれよりも安価な価格帯での提供を可能にするものとなっていることから、情報が錯綜して複雑化する高度経済社会の中で、より確実な情報伝達を必要とする現代人にとって欠くことができないメモ帳として高い評価がなされ、多くの人々に受け入れて広く普及するものになることが予想される。                                                                                          
【図面の簡単な説明】
【００３８】
図面は、この発明の双方向確認メモ帳に係わる代表的な具体例の一つを示したものである。
【図１】この発明の双方向確認メモ帳の全体斜視図である。
【図２】双方向確認メモ帳を構成する単位メモシートの各シートを一部重なり状のものとして示す正面図である。
【図３】使用態様を説明するための全体斜視図である。
【図４】一部に改良を加えた第一メモシートを示す正面図である。
【図５】一部に改良を加えた第二メモシートを示す正面図である。
【図６】一部に改良を加えた第三メモシートを示す正面図である。
【符号の説明】
【００３９】
１          単位メモシート
１ａ        同  綴じ代
１ｂ        同  ステイプラー留め
１１        同  第一メモシート
１１ａ      同  ミシン目
１１ｂ      同  パンチ孔
１２        同  第二メモシート
１２ａ      同  ミシン目
１２ｂ      同  パンチ孔
１３        同  第三メモシート
１３ａ      同  ミシン目
１３ｂ      同  パンチ孔
２          表紙
３          台紙
４          ステイプラー留め
５          背表紙
Ａ          メモ発行者表示欄
Ａ１      同  メモ発行者名記入欄
Ａ２      同  担当者名記入欄
Ａ３      同  太矢印
Ｂ          担当者向けメモ欄
Ｃ          担当者記載欄
【図１】
2006305888.tif 000003
【図２】
2006305888.tif 000004
【図３】
2006305888.tif 000005
【図４】
2006305888.tif 000006
【図５】
2006305888.tif 000007
【図６】
2006305888.tif 000008